(57)【要約】【課題】  既存装置による不都合な記録・再生動作を回避する。【解決手段】  既存ＭＤのＴＯＣ領域にメディアＩＤ領域Ｅを割り当てる。このメディアＩＤ領域には、ディスク中心から放射状に溝が形成されており、この溝によってメディアＩＤが記録されている。  当該ＭＤに対応したＭＤ装置では、メディアＩＤ領域ＥをトラッキングＯＦＦにて走査し、当該領域からメディアＩＤデータを読み取る。読み取ったメディアＩＤにて記録データを暗号化し、これをレコーダブル領域Ｃに記録する。このＭＤを既存のＭＤ装置に装着すると、記録再生動作に先立って、メディアＩＤ領域ＥがＴＯＣ領域として読まれるが、トラッキングが掛からず、ＭＤはイジェクトされる。これにより、不都合な記録再生動作が回避される。【選択図】図１
2008097825.tif 000002
【特許請求の範囲】
【請求項１】
既存の記録再生装置によって記録もしくは再生動作の開始に先立って読み取られる領域に、既存の記録再生装置では読み取りエラーとなる形態にて所定の情報が記録された記録媒体において、
前記所定の情報は当該記録媒体を識別するための情報であり、この情報が、前記記録もしくは再生開始前に読み取られる領域に、通常この領域に記録される形態とは相違する形態にて記録されていることを特徴とする記録媒体。
【請求項２】
請求項１において、
前記所定の情報は、ディスク中心から放射状に形成した溝の幅および／もしくはこの溝間の幅によって記録されていることを特徴とする記録媒体。
【発明の詳細な説明】
【技術分野】
【０００１】
本発明は、記録媒体、記録再生装置および再生装置に関し、特に、既存の記録媒体に著作権保護等のための情報を追加する際に用いて好適なものである。
【背景技術】
【０００２】
デジタル録音用の記録媒体として、ＭＤ（Mini Disc）が広く用いられている。このＭＤは、小型軽量で形態性に優れ、また、データ圧縮技術により音質劣化を抑制しながら長時間化を実現したことにより、既存のテープ媒体に変わるものとして急速に普及している。また、オーディオ記録用の他、データ記録用のＭＤデータや、静止画記録用のＭＤピクチャー等の規格も発表されている。
【０００３】
既存のＭＤおよびその記録再生装置の構成は、たとえば以下の非特許文献１に記載されている。以下、既存のＭＤおよびその記録再生装置の構成につき、図９〜図１１を参照して説明する。
【０００４】
図９に既存のＭＤディスクの構成を示す。
【０００５】
ＭＤディスクは、大きく分けて、ＴＯＣ（Table of Contents）領域とレコーダブル領域にエリア分割されている。このうち、ＴＯＣ領域には、螺旋トラック状にプリピットが形成されており、このプリピットによって、ディスク記録時間の相違や記録レーザパワー等の情報が記録されている。また、レコーダブル領域には、螺旋トラック状にガイド溝が形成されており、このガイド溝上に情報が光磁気記録される。このガイド溝は、径方向に所定周波数で蛇行（ウォブル）しており、このウォブル周波数によって、トラック上の絶対番地（アドレス）が記録されている。
【０００６】
さらに、レコーダブル領域の最内周位置は、ＵＴＯＣ（User Table of Contents）領域が割り当てられており、このＵＴＯＣ領域には、記録した曲の開始アドレスやディスク名、各曲のタイトル、アーチスト名等の情報が光磁気記録される。そして、レコーダブル領域のＵＴＯＣに続く領域に、記録情報であるオーディオ情報が記録される。
【０００７】
図１０に、上記ＭＤディスクに情報を記録再生するＭＤ装置の構成図を示す。
【０００８】
図中、ＥＣＣエンコーダ１は、記録データに対し誤り訂正符号を付加する。変調回路２は、誤り訂正符号を付加された記録データに対しＮＲＺＩプラス等の変調処理を施す。駆動信号生成回路３は、変調後の記録データを記録信号に変換する。磁気ヘッド駆動回路４は、駆動信号に応じて磁気ヘッド４を駆動し、ディスク２００に記録信号に応じた磁界を印加する。レーザ駆動回路６は、記録レーザパワーに応じたパルスビーム、または再生レーザパワーに応じた連続ビームを半導体レーザ７１に出射させる。
【０００９】
ピックアップ７は、レーザ駆動回路６からの制御に応じたレーザ光を出射する半導体レーザ７１、ディスク２００からの反射光を受光する光検出器７２、レーザ光をディスク上のトラックに収束させるための対物レンズおよび半導体レーザ７１からのレーザ光を対物レンズおよび光検出器に導く光学系を備える。
【００１０】
再生信号増幅回路８は、光検出器７２からのセンサ出力を演算処理し、ＲＦ信号、トラッキングエラー信号、フォーカスエラー信号等の信号を生成出力する。波形生成回路９は、再生信号増幅回路８からの再生ＲＦ信号を波形整形し復号回路１０に出力する。復号回路１０は波形整形されたＲＦ信号に対しビタビ復号、ＮＲＺＩプラス復調等の処理を施して読み取りデータを生成する。
【００１１】
ＥＣＣデコーダ１１は、復号回路１０からの読み取りデータに対し誤り訂正符号を用いて誤り訂正処理を施し再生データを生成する。再生回路１２は、ＥＣＣデコーダ１１からの再生データにＤＡ変換等の処理を施して再生信号を生成し、これをスピーカに供給する。
【００１２】
クロック信号生成回路１３は、再生信号増幅回路８からのＲＦ信号またはトラッキングエラー信号に基づき、記録・再生用のクロックを生成する。アドレス生成回路１４は、再生信号増幅回路８からのトラッキングエラー信号に基づき、上記ガイド溝のウォブルによって記録されたアドレスを再生する。
【００１３】
サーボ回路１５は、再生信号増幅回路８からのトラッキングエラー信号およびフォーカスエラー信号に基づきトラッキングサーボ信号およびフォーカスサーボ信号を生成し、これをサーボ機構１６に供給する。また、クロック信号生成回路１３からのクロックに基づき、ディスク回転制御信号を生成し、これをスピンドルモータ１７に供給する。サーボ機構は、サーボ回路１５からのサーボ信号に応じてピックアップ７内の対物レンズをフォーカス方向およびトラッキング方向に変位させ、これにより、ピックアップ７からのレーザ光をトラック上に収束・追従させる。
【００１４】
図１１に、ＭＤ装置において、記録・再生動作に先立って実行される処理のフローチャートを示す。
【００１５】
ＭＤカートリッジがＭＤ装置に装着されると（Ｓ４０１）、ピックアップ７がディスクの最内周位置、すなわちＴＯＣ領域に移動され（Ｓ４０２）、フォーカス試行（Ｓ４０３）とトラッキング調整（Ｓ４０４）が実行される。ここで、フォーカス試行とトラッキング調整の何れかがエラーとなると、ＭＤカートリッジがイジェクトされ、処理が終了する。他方、フォーカス試行とトラッキング調整の両方が良好であれば、ＴＯＣ領域からＴＯＣ情報が読み出され、これがＭＤ装置内のメモリ（図２では省略）に記憶される（Ｓ４０５）。そして、ユーザの指示入力に応じて、記録または再生動作が実行される（Ｓ４０６）。
【非特許文献１】電波新聞社発行「ＭＤのすべて」（平成１１年９月２０日  第２刷発行）
【発明の開示】
【発明が解決しようとする課題】
【００１６】
上記ＭＤにおいては、情報がデジタル化されて記録されているため、高音質を保持したまま容易にコピーを作成できる。そこでＭＤでは、かかるデジタルコピーを防止して著作者の権利を適正に保護すべく、ＳＣＭＳ（Serial Copy Management System）が採用されており、デジタルコピーは一世代のみに制限されるようになっている。ＳＣＭＳに関する情報は、上記ＭＤのＵＴＯＣ領域に記録される。
【００１７】
しかしながら、ＳＣＭＳ情報は光磁気記録されているため、ＳＣＭＳ情報をも同時にコピーすると、上記コピー制限は実効性のないものとなってしまう。たとえば、一世代のデジタルコピーが可能な状態にＳＣＭＳ情報が設定されている場合に、ＵＴＯＣ情報をも含めて記録情報が他のＭＤにコピーされると、そのコピーＭＤを使ってさらにコピーを生成することが許容されるようになる。さらに、コピーＭＤのＵＴＯＣ情報をも含めて記録情報を他のＭＤにコピーするようにすれば、無限にコピーＭＤの作成を繰り返すことができるようになる。
【００１８】
かかる問題は、コピーされ得ない情報によってコピー防止管理を実行することにより防止できる。
【００１９】
たとえば、ＭＤのＴＯＣ領域にプリピットによって個々のＭＤに固有な情報、すなわちディスク識別情報（メディアＩＤ）を記録しておく方法が考えられる。このように記録したメディアＩＤによって記録情報を暗号化して記録し、再生時にはメディアＩＤによって読み取りデータの暗号化を解くようにすれば、ＭＤ上の記録情報は、そのＭＤを再生装置に装着した状態、すなわち再生装置にてメディアＩＤを取得できる状態でなければ再生できないようになる。
【００２０】
しかしながら、かかるディスクを既存のＭＤ装置にて再生すると、暗号化された記録情報がそのまま再生されるため、異音の発生等、好ましくない再生が実行されてしまう。これは、記録についても同様で、上記ディスクを既存のＭＤ装置にて記録すると、メディアＩＤにて暗号化されずに記録情報がそのままディスク上に記録されてしまう。このように記録された情報を上記ディスクに対応した再生装置にて再生すると、暗号化されていないにも拘わらず、読み取り情報の暗号化を解く処理が実行され、その結果、異音の発生等、好ましくない再生が実行されてしまう。
【００２１】
そこで、本発明は、既存装置によっても不都合な記録および／もしくは再生動作が起こり得ないような記録媒体を提供することを課題とする。
【課題を解決するための手段】
【００２２】
上記課題に鑑み本発明は、それぞれ以下の特徴を有する。
【００２３】
請求項１の発明は、既存の記録再生装置によって記録もしくは再生動作の開始に先立って読み取られる領域に、既存の記録再生装置では読み取りエラーとなる形態にて所定の情報が記録された記録媒体において、前記所定の情報は当該記録媒体を識別するための情報であり、この情報が、前記記録もしくは再生開始前に読み取られる領域に、通常この領域に記録される形態とは相違する形態にて記録されていることを特徴とする。
【００２４】
請求項２の発明は、前記所定の情報は、ディスク中心から放射状に形成した溝の幅および／もしくはこの溝間の幅によって記録されていることを特徴とする。
【００２５】
本発明の特徴は、以下に示す実施の形態の説明により更に明らかとなろう。
【００２６】
ただし、以下の実施の形態は、あくまでも、本発明の一つの実施形態であって、本発明ないし各構成要件の用語の意義は、以下の実施の形態に記載されたものに制限されるものではない。
【発明の効果】
【００２７】
本発明によれば、既存の記録再生装置によって記録もしくは再生動作の開始に先立って読み取られる領域に、既存の記録再生装置では読み取りエラーとなる形態にて所定の情報が記録された記録媒体において、前記所定の情報は当該記録媒体を識別するための情報であり、この情報が、前記記録もしくは再生開始前に読み取られる領域に、通常この領域に記録される形態とは相違する形態にて記録されているから、当該情報の追加に起因した既存装置による不都合な記録再生動作を、記録再生動作に先立った読み取り動作時のイジェクト処理等によって回避することができる。
【発明を実施するための最良の形態】
【００２８】
以下、本発明の実施の形態につき図面を参照して説明する。
【００２９】
まず、図１に実施の形態に係るＭＤディスクの構造を示す。図示の如く、当該ＭＤディスクでは、上記図９に示す既存ＭＤのＴＯＣ領域にメディアＩＤ領域が配され、その外周側にＴＯＣ領域が配されている。ＴＯＣ領域、ＵＴＯＣ領域、レコーダブル領域の構成は、上記図９に示す既存ＭＤと同様である。
【００３０】
メディアＩＤ領域には、ディスク中心から放射状に溝が形成されており、この溝の幅および溝間の幅によって、メディアＩＤが記録されている。それぞれの溝は、ＴＯＣ領域の膜構造を高出力レーザで焼き切って形成されている。また、溝間の部分は、ＴＯＣ領域の膜構造（プリピット以外の部分）と同様の膜構造となっている。それぞれの溝は、周方向に見たときの前エッジと後ろエッジがディスクの径方向となるように形成されている。よって、それぞれの溝は、内周側よりも外周側の方が幅広となっている。
【００３１】
かかる構造を有するＭＤディスクは、既存のＭＤと同様、ＭＤカートリッジに内蔵されている。このＭＤカートリッジには、内蔵されたＭＤディスクが既存のＭＤディスクとは相違することを示すホールが形成されている。その他の構成ないし外形寸法は、既存のＭＤカートリッジと同様である。
【００３２】
なお、上記溝間の幅を一定とし溝の幅のみを可変としてメディアＩＤを記録するようにしても良い。逆に、溝の幅を一定とし溝間の幅のみを可変としてメディアＩＤを記録するようにしても良い。
【００３３】
図２に、上記実施の形態に係るＭＤ（以下、「著作権保護ＭＤ」と称す）に対し情報を記録・再生するＭＤ装置の構成を示す。
【００３４】
当該ＭＤ装置は、図１０に示した既存のＭＤ装置に比べ、エンコーダ２１とデコーダ２２の構成が相違している。また、メディアＩＤ検出回路２３、ホール検出回路２４およびコントローラ２５が新たに追加されている。
【００３５】
エンコーダ２１は、装置に装着されたＭＤが著作権保護ＭＤである場合には、当該ＭＤのメディアＩＤに基づいて記録情報を暗号化した後ＥＣＣエンコード処理を実行する。また、装着されたＭＤが図９に示す既存のＭＤである場合には、記録データに暗号化を施さずに、そのままＥＣＣ処理のみを実行する。
【００３６】
図３に、エンコーダ２１の構成を示す。エンコーダ２１は、ＥＣＣエンコード回路２１１、セレクタ２１２、２１４およびエンクリプト回路２１３により構成されている。
【００３７】
エンクリプト回路２１３は、後述の如くしてＭＤディスクから読み取られたメディアＩＤに基づいて記録データを暗号化する。暗号化の手法は、メディアＩＤを用いた畳み込み処理等、周知の種々の手法を用いることができる。セレクタ２１２および２１４は、コントローラ２５からのセレクトデータに応じて伝送路を選択的に切り替える。すなわち、装着されたＭＤが著作権保護ＭＤである場合には、エンクリプト回路２１３側の伝送路を選択し、装着されたＭＤが既存のＭＤである場合には、他方側の伝送路を選択する。
【００３８】
図２に戻り、デコーダ２２は、装着されたＭＤが著作権保護ＭＤである場合には、ＥＣＣデコード処理を実行した後、データの暗号化を当該ＭＤのメディアＩＤに基づいて解き、また、装着されたＭＤが既存のＭＤである場合には、ＥＣＣデコード処理したデータを、そのまま再生回路１２に出力する。
【００３９】
図４に、デコーダ２２の構成を示す。デコーダ２２は、ＥＣＣデコード回路２２１、セレクタ２２２、２２４およびデエンクリプト回路２２３により構成されている。
【００４０】
デエンクリプト回路２２３は、後述の如くしてＭＤディスクから読み取られたメディアＩＤに基づいて読み取りデータの暗号化を解く。セレクタ２２２および２２４は、コントローラ２５からのセレクトデータに応じて伝送路を選択的に切り替える。すなわち、装着されたＭＤが著作権保護ＭＤである場合には、デエンクリプト回路２２３側の伝送路を選択し、装着されたＭＤが既存のＭＤである場合には、他方側の伝送路を選択する。
【００４１】
図２に戻り、メディアＩＤ検出回路２３は、再生信号増幅回路８からのメディアＩＤ信号に基づいてメディアＩＤデータを再生し、これをコントローラ２５に出力する。ホール検出回路２４は、フォトカプラまたはメカニカルスイッチ等により、ＭＤカートリッジに形成された上記メディア識別用のホールを検出し、検出結果をコントローラ２５に出力する。コントローラ２５は、ホール検出回路２４からの検出結果に応じて、装着されたＭＤが図１に示された著作権保護ＭＤであるのか図９に示された既存のＭＤであるのかを判別し、判別結果に応じて、エンコーダ２１およびデコーダ２２に、上記セレクトデータとメディアＩＤデータを供給する。
【００４２】
図５に、光検出器７２と再生信号増幅回路８の構成例を示す。
【００４３】
光検出器７２は、６つの検出領域Ａ、Ｂ、Ｃ、Ｄ、Ｅ、Ｆを備える。ここで、図中のＤＲ１はディスクのトラック方向、ＤＲ２はディスクのトラッキング方向を示している。また、図５の構成例は、ワンビームプッシュプル法および非点収差法にてトラッキングエラー信号およびフォーカスエラー信号を生成する場合の構成例を示すものである。なお、ワンビームプッシュプル法および非点収差法を実現するための光学系の構成は、従来周知であるので、ここでは説明を省略する。
【００４４】
オンフォーカスおよびオントラックの状態にあるとき、ディスクからの反射ビームは４分割された状態で、それぞれ光検出器７２の領域Ａ、Ｂ、Ｃ、Ｄに均等に照射される。また、領域Ｅと領域Ｆには、光ピックアップ７内のウォラストンプリズム（図示せず）により偏光面の異なる２つのビームに光路分割された反射ビームがそれぞれ照射される。
【００４５】
再生信号増幅回路８は、加算回路８１、８３、８４、８５、８６と減算回路８２、８７、８８から構成される。
【００４６】
上記レコーダブル領域（光磁気記録）を走査したときの再生ＲＦ信号は、領域ＥとＦの出力信号を減算回路８２により減算することにより生成される。ＴＯＣ領域（プリピット）を走査したときの再生ＲＦ信号は、領域ＥとＦの出力信号を加算回路８１により加算することにより生成される。また、メディアＩＤ領域（放射状溝）を走査したときの再生ＲＦ信号は、ＴＯＣ領域を走査したときと同様、領域ＥとＦの出力信号を加算回路８１により加算することにより生成される。
【００４７】
トラッキングエラー信号は、領域Ａと領域Ｂからの出力信号を加算回路８３にて加算した信号と、領域Ｃと領域Ｄからの出力信号を加算回路８４にて加算した信号とを減算回路８７にて減算することにより生成される。また、フォーカスエラー信号は、領域Ａと領域Ｄからの出力信号を加算回路８５にて加算した信号と、領域Ｂと領域Ｃからの出力信号を加算回路８６にて加算した信号とを減算回路８８にて減算することにより生成される。
【００４８】
図６に、当該ＭＤ装置において、記録・再生動作に先立って実行される処理のフローチャートを示す。
【００４９】
ＭＤカートリッジがＭＤ装置に装着されると（Ｓ１０１）、まず、ホール検出回路２４によって上記メディア識別用ホールが検出されたか否かが判別される（Ｓ１０２）。ここで、ホールが検出されたと判別されると、装着されたＭＤは著作権保護ＭＤであると認識され、ピックアップ７がディスクの最内周位置、すなわちメディアＩＤ領域に移動される（Ｓ１０３）。そして、フォーカス試行が実行され、良好に焦点調整がなされると（Ｓ１０４）、ディスク回転速度がメディアＩＤ読み取り用の速度（角速度一定）に設定され（Ｓ１０５）、トラッキング調整を掛けることなく、メディアＩＤ領域の読み取りが実行される。これにより、メディアＩＤ検出回路２３にてメディアＩＤデータが再生され、これがコントローラ２５内のメモリに格納される（Ｓ１０６）。
【００５０】
しかる後、ピックアップ７がＴＯＣ領域に移動され（Ｓ１０７）、トラッキング調整が実行される（Ｓ１０８）。そして、トラッキング調整が良好になされると、ＴＯＣデータの読み取り再生が実行される。再生されたＴＯＣデータは、コントローラ２５内のメモリに格納される（Ｓ１０９）。しかる後、ユーザから記録または再生の指示入力がなされると、当該指示に応じて、記録または再生動作が実行される（Ｓ１１０）。
【００５１】
上記Ｓ１０２にてホールが検出されなかったと判別されると、装着されたＭＤは既存のＭＤであると認識され、ピックアップ７がディスクの最内周位置、すなわちＴＯＣ領域に移動される（Ｓ１１２）。そして、フォーカス試行が実行され、良好に焦点調整がなされると（Ｓ１１３）、トラッキング調整が実行される（Ｓ１０８）。そして、トラッキング調整が良好になされると、ＴＯＣデータの読み取り再生が実行される。再生されたＴＯＣデータは、コントローラ２５内のメモリに格納される（Ｓ１０９）。
【００５２】
なお、上記において、フォーカス調整（Ｓ１０４、Ｓ１１３）またはトラッキング調整（Ｓ１０８）の何れかがエラーとなった場合には、ＭＤカートリッジがイジェクトされ、処理が終了する（Ｓ１１１）。また、ＴＯＣ情報がコントローラ２５内に記憶された後、引き続き、ＵＴＯＣデータの再生が実行される。再生されたＵＴＯＣデータは、コントローラ２５内のメモリに格納される。
【００５３】
図７に、再生動作時の処理フローチャートを示す。
【００５４】
所定の曲の再生指令が入力されると、当該曲の開始位置にピックアップ７が移動され、読み取り動作が開始される（Ｓ２０１）。かかる読み取り動作により、再生信号増幅回路８から再生ＲＦ信号が出力され、これが波形整形回路９を介して復号回路１０に供給される。復号回路１０は受け取ったＲＦ信号を順次復号し、読み取りデータを生成出力する（Ｓ２０２）。
【００５５】
上記図６の処理において、当該ＭＤ装置に装着されたＭＤが著作権保護ＭＤであると判別されている場合（Ｓ２０３のＹＥＳ）、デコーダ２２は、復号回路１０からの読み取りデータに対してデエンクリプト処理（暗号化を解く処理）を実行し（Ｓ２０４）、さらにデエンクリプト後のデータにＥＣＣデコード処理を実行して再生回路１２に供給する（Ｓ２０５）。再生回路１２は受け取った再生データにＤＡ変換等の処理を施し、これをスピーカに供給する。これにより、ユーザにより指定された曲がスピーカから出力される。
【００５６】
他方、上記図６の処理において、当該ＭＤ装置に装着されたＭＤが既存のＭＤであると判別されている場合（Ｓ２０３のＮＯ）、デコーダ２２は、復号回路１０からの読み取りデータに対してＥＣＣデコード処理のみを実行し、これを再生回路１２に供給する（Ｓ２０５）。これにより、暗号化されていない状態で記録された既存ＭＤの曲が再生出力される。
【００５７】
かかる再生動作は、ユーザ指定の曲の再生が全て終了するまで実行される（Ｓ２０６）。指定曲の再生が終了すると、ＭＤ装置は、次の再生指令または記録指令、あるいはＭＤがイジェクトされるまで、待機モードに設定される。
【００５８】
図８に、記録動作時の処理フローチャートを示す。
【００５９】
ＭＤ装置に記録指令が入力されると、コントローラ２５に記憶されたＵＴＯＣデータが参照され、空き領域の先頭アドレスが取得される。そして、かかる先頭アドレスの位置にピックアップ７が移動され（Ｓ３０１）、順次、記録データの書き込み処理が実行される。
【００６０】
上記図６の処理において、当該ＭＤ装置に装着されたＭＤが著作権保護ＭＤであると判別されている場合（Ｓ３０２のＹＥＳ）、エンコーダ２１は、記録データに対してＥＣＣエンコード処理を実行し、さらにエンクリプト処理（暗号化処理）を実行して（Ｓ３０３）、これを変調回路２に供給する。変調回路２は受け取った記録データに変調処理を施し（Ｓ３０４）、これを駆動信号生成回路３に供給する。これにより、記録データが暗号化された状態でＭＤディスクの空き領域に順次記録される（Ｓ３０５）。
【００６１】
他方、上記図６の処理において、当該ＭＤ装置に装着されたＭＤが著作権保護ＭＤでないと判別されている場合（Ｓ３０２のＮＯ）、エンコーダ２１は、記録データに対してＥＣＣエンコード処理のみを実行し（Ｓ３０７）、これを変調回路２に供給する。変調回路２は受け取った記録データに変調処理を施し（Ｓ３０４）、これを駆動信号生成回路３に供給する。これにより、記録データが暗号化されない状態でＭＤディスクの空き領域に順次記録される（Ｓ３０５）。
【００６２】
かかる記録動作は、記録データが終了するまで実行される（Ｓ３０６）。指定曲の再生が終了すると、ＭＤ装置は、次の記録指令または再生指令、あるいはＭＤがイジェクトされるまで、待機モードに設定される。
【００６３】
次に、上記著作権保護ＭＤが図１０に示す既存のＭＤ装置に装着された場合の動作について、図１１を参照して説明する。
【００６４】
著作権保護ＭＤが当該ＭＤ装置に装着されると（Ｓ４０１）、ピックアップ７が最内周位置、すなわちメディアＩＤ領域に移動される（Ｓ４０２）。しかる後、フォーカス試行（Ｓ４０３）とトラッキング調整（Ｓ４０４）が実行される。
【００６５】
上記の如く、著作権保護ＭＤのメディアＩＤ領域は、既存のＭＤのＴＯＣ領域と同様の膜構造を有しているため、Ｓ４０３におけるフォーカス試行の判定は、通常、良好であると判定される。しかしながら、当該メディアＩＤ領域には、トラック状のプリピットは形成されておらず、これに代えて、放射状溝が形成されているため、トラッキングが掛からず、よって、Ｓ４０４におけるトラッキング調整の判定は必ずエラーと判定される。これにより、著作権保護ＭＤは、記録・再生動作に移行する前に、当該ＭＤ装置からイジェクトされる。よって、当該ＭＤに対する不都合な記録再生が実行されることはない。
【００６６】
以上、本実施の形態に係る著作権保護ＭＤおよびＭＤ装置によれば、ＭＤディスクに固有のメディアＩＤを溝形状によって予め記録しておき、記録データをこのメディアＩＤによって暗号化した後、ＭＤディスク上に記録するものであるから、たとえＵＴＯＣデータと共に記録データを他のＭＤにコピーしたとしても、コピー後の記録データの暗号化を解くことができず、よって、従来のＳＣＭＳによる制限に比べ、デジタルコピーの禁止をより徹底させることができる。
【００６７】
また、メディアＩＤの記録位置を、既存のＭＤ装置にて記録再生動作に先立って読み取られるＴＯＣ領域とすることにより、実施の形態に係る著作権保護ＭＤを既存のＭＤに装着した場合には、当該ＭＤが、記録再生動作前のＴＯＣ読み取り動作にて必ずイジェクトされるようになり、よって、当該著作権保護ＭＤに対し既存のＭＤ装置にて不都合な記録・再生が実行されることを回避できる。
【００６８】
このように、上記実施の形態によれば、著作権保護の徹底と、既存ＭＤ装置との間の不都合性を同時に解決できる。
【００６９】
なお、本発明は、上記実施の形態に限定されるものではなく、他に種々の変更が可能であることは言うまでもない。
【００７０】
たとえば、上記実施の形態では、メディアＩＤ領域に放射状の溝を形成し、これによりメディアＩＤを記録するようにしたが、これ以外の形態にてメディアＩＤを記録するようにしても良い。一例として、メディアＩＤ領域の反射率を既存ＭＤのＴＯＣ領域の反射率よりも低く設定し、ここにプリピットにてメディアＩＤを記録するようにしても良い。このように構成すれば、既存のＭＤ装置では反射光強度不足によりメディアＩＤ領域の再生が不能となり、その結果、ＭＤがイジェクトされる。かかるＭＤからメディアＩＤを読み出すためのＭＤ装置においては、メディアＩＤ領域を読み出す際のゲインを調整して、十分な強度の再生ＲＦ信号を生成する必要がある。
【００７１】
また、メディアＩＤ領域に記録するデータは、メディアＩＤのみならず、その他のデータを併せて記録するようにしても良い。また、上記実施の形態は、著作権保護を念頭においたものであったが、著作権保護以外の目的から実施例を構成する場合には、上記メディアＩＤ領域に対応する領域に、メディアＩＤ以外の情報を記録するようにすれば良い。かかる場合、当該情報を上記の如き放射状溝にて記録しておけば、既存のＭＤ装置では記録再生動作に移行する前に当該ＭＤがイジェクトされるため、当該ＭＤに既存のＭＤ装置によって、不適切な記録・再生が実行されることを回避できるようになる。
【００７２】
その他、上記実施の形態では、ＭＤを例に挙げて説明したが、本発明は、ＭＤに限らず、ＤＶＤやＣＤ−Ｒ等、その他の記録媒体にも適用できるものである。また、記録されるデータも、オーディオデータに限らず、ビデオ、静止画等、その他のデータとすることも、勿論可能である。
【００７３】
本発明の実施の形態は、本発明の技術的思想の範囲内において、適宜、種々の変更が可能である。
【図面の簡単な説明】
【００７４】
【図１】実施の形態に係るＭＤディスクの構成を示す図
【図２】実施の形態に係るＭＤ装置の構成を示す図
【図３】実施の形態に係るエンコーダの構成を示す図
【図４】実施の形態に係るデコーダの構成を示す図
【図５】実施の形態に係る光検出器と再生信号増幅回路の構成を示す図
【図６】実施の形態に係る記録再生動作前の処理を示すフローチャート
【図７】実施の形態に係る再生動作を示すフローチャート
【図８】実施の形態に係る記録動作を示すフローチャート
【図９】既存のＭＤディスクの構成を示す図
【図１０】既存のＭＤ装置の構成を示す図
【図１１】既存のＭＤ装置における記録再生動作前の処理フローチャート
【符号の説明】
【００７５】
２  変調回路
３  駆動信号生成回路
４  磁気ヘッド駆動回路
５  磁気ヘッド
６  レーザ駆動回路
７  ピックアップ
８  再生信号増幅回路
９  波形整形回路
１０  復号回路
１２  再生回路
２１  エンコーダ
２２  デコーダ
２３  メディアＩＤ検出回路
２４  ホール検出回路
２５  コントローラ
【図１】
2008097825.tif 000003
【図２】
2008097825.tif 000004
【図３】
2008097825.tif 000005
【図４】
2008097825.tif 000006
【図５】
2008097825.tif 000007
【図６】
2008097825.tif 000008
【図７】
2008097825.tif 000009
【図８】
2008097825.tif 000010
【図９】
2008097825.tif 000011
【図１０】
2008097825.tif 000012
【図１１】
2008097825.tif 000013